(57)【要約】【課題】両端部を双方のコネクタに上方から挿入すると、中間部分が下方に凹曲するフレキシブルフラットケーブルと、これを用いた影像表示装置を提供する。【解決手段】並列する複数の線状導体１ａが電気絶縁性の上下の樹脂フィルム１ｂ，１ｃで被覆され、一方の樹脂フィルム１ｃの両端切欠き部に線状導体の両端部が露出して端子部１ｄ，１ｄが形成されたフレキシブルフラットケーブルであって、その長さ方向の両端部１ｅ，１ｅが端子部１ｄ，１ｄよりも中央側の折り曲げ位置Ｐ，Ｐで一方の樹脂フィルム１ｃ側に鋭角に折り曲げられ、これらの折り曲げ端部１ｅ，１ｅの他方の樹脂フィルム１ｂ上に補強板２，２が固着された構成のフレキシブルフラットケーブル１とする。鋭角に折り曲げられた折り曲げ端部１ｅ，１ｅを縦向きにして上方からコネクタに挿入すると、フレキシブルフラットケーブル１の中間部分を凹曲させる応力がかかって中間部分が凹曲する。【選択図】図３
2012190722.tif 000002
【特許請求の範囲】
【請求項１】
並列する複数の線状導体が電気絶縁性の上下の樹脂フィルムで被覆され、一方の樹脂フィルムの両端切欠き部に線状導体の両端部が露出して端子部が形成されたフレキシブルフラットケーブルであって、その長さ方向の両端部が上記端子部よりも中央側の折り曲げ位置で一方の樹脂フィルム側に鋭角に折り曲げられ、これらの折り曲げ端部の他方の樹脂フィルム上に補強板がそれぞれ固着されていることを特徴とするフレキシブルフラットケーブル。
【請求項２】
上記補強板が折り曲げ端部の長さよりも長い補強板であって、この長い補強板の一端側部分が折り曲げ端部の他方の樹脂フィルム上に重ね合わされて固着され、補強板の他端側部分が折り曲げ端部から上記折り曲げ位置を越えて突き出していることを特徴とする請求項１に記載のフレキシブルフラットケーブル。
【請求項３】
複数のプリント配線基板が隣接して装置内部に設けられ、これらのプリント配線基板の相対向する位置に設置されたコネクタに、請求項１又は請求項２に記載されたフレキシブルフラットケーブルの補強板を固着した折り曲げ端部がプリント配線基板と直交方向に挿入されて、プリント配線基板同士が電気的に接続されており、フレキシブルフラットケーブルの折り曲げ端部を除いた中間部分がプリント配線基板側に凹曲していることを特徴とする影像表示装置。
【発明の詳細な説明】
【技術分野】
【０００１】
本発明はフレキシブルフラットケーブルとこれを用いた影像表示装置に関し、更に詳しくは、端子部が形成されたフレキシブルフラットケーブルの両端部をコネクタに上方から挿入して接続したときにフレキシブルフラットケーブルの中間部が下方に凹曲するように改良したフレキシブルフラットケーブルと、このフレキシブルフラットケーブルを用いた液晶テレビなどの影像表示装置に関する。
【背景技術】
【０００２】
隣接するプリント配線基板同士を電気的に接続する従来の一般的なフレキシブルフラットケーブル１００は、図８に示すように、並列する複数の線状導体１ａを電気絶縁性の上下の樹脂フィルム１ｂ，１ｃで被覆すると共に、一方の樹脂フィルム１ｃの両端切欠き部に線状導体１ａの両端部を露出させて端子部１ｄ，１ｄを形成したものであって、その両端部の樹脂フィルム１ｂ上には補強板２，２が固着されている。
【０００３】
また、フレキシブルフラットケーブルの補強板が固着された両端部の先端を直角に折り曲げ、フレキシブルフラットケーブルの両端部を開閉式のコネクタに挟み込んで接続する際に、両端部の先端折り曲げ部をコネクタの凹部に嵌合して、両端部がコネクタから抜け出さないようにしたフレキシブルフラットケーブル（特許文献１）や、
フレキシブルフラットケーブルの両端部にコネクタの嵌合長よりも少しだけ長い補強板を固着して該補強板の端面でフレキシブルフラットケーブルをコの字形に折り曲げ、この折り曲げ部を指で押さえ込んでコネクタに挿入するようにしたフレキシブルフラットケーブル（特許文献２）や、
フレキシブルフラットケーブルの補強板が固着された端部を直角に折り曲げて補強板の突起部を折り曲げ位置よりも長さ方向に突出させ、この突起部を指先で保持してコネクタに挿抜できるようにしたフレキシブルフラットケーブル（特許文献３）や、
フレキシブルフラットケーブルのコネクタ接続部が形成された端部を直角に折り曲げると共に、この折り曲げ部の一部を折り曲げないように切り欠いてコネクタ着脱操作用保持部を形成したフレキシブルフラットケーブル（特許文献４）なども知られている。
【先行技術文献】
【特許文献】
【０００４】
【特許文献１】特開２００６−６６３２７号公報
【特許文献２】特開平９−１４８０１０号公報
【特許文献３】特開２００４−１７１９５８号公報
【特許文献４】実開平３−３３９８２号公報
【発明の概要】
【発明が解決しようとする課題】
【０００５】
しかしながら、図８に示す従来のフレキシブルフラットケーブル１００を用いて、図９に示すように隣接するプリント配線基板３，３のコネクタ４，４にフレキシブルフラットケーブル１００の両端部（端子部１ｄ，１ｄが形成され且つ補強板２，２が固着された両端部）を上方から挿入して、プリント配線基板３，３同士を電気的に接続すると、フレキシブルフラットケーブル１００が図示のように凸曲するため、その上方に電磁波を遮断するシールド板金５などが配置される場合には、フレキシブルフラットケーブル１００がシールド板金５に接触し、電磁妨害（ＥＭＩ）や、電磁感受性（ＥＭＳ）に悪影響を与えるという問題があった。
【０００６】
また、従来のフレキシブルフラットケーブル１００は、その両端部をコネクタ４，４に挿入する際に、作業者の指先が露出した端子部１ｄ，１ｄに触れやすいため、端子部１ｄ，１ｄに指先の油脂分が付着して酸化により劣化しやすくなるという問題もあった。
【０００７】
前者の問題（シールド板金５との接触の問題）は、凸曲したフレキシブルフラットケーブル１００がシールド板金５に接触しないように、シールド板金５とプリント配線基板３，３との間隔を拡げることによって、一応は解決されるが、このように間隔を拡げることは、昨今の液晶テレビなどの影像表示装置の薄型化の要請に反することになるので、好ましい解決策とは言えない。このような事情から、両端部を双方のコネクタ４，４に上方から挿入したときに、中間部分が凸曲しないで下方に凹曲するようなフレキシブルフラットケーブルの開発が望まれている。
【０００８】
一方、後者の問題（端子部１ｄに指先の油脂分が付着する問題）は、前記特許文献３，４のフレキシブルフラットケーブルのように突起部やコネクタ着脱操作用保持部を形成し、これらを指先で摘んでフレキシブルフラットケーブルの両端部をコネクタに挿入するように構成すれば、解決することが可能である。
【０００９】
けれども、前記特許文献１〜４のフレキシブルフラットケーブルはいずれも、両端部をコネクタに上方から挿入したときにフレキシブルフラットケーブルが下方に凹曲するものではないので、前記特許文献１〜４のフレキシブルフラットケーブルの技術を適用しても、前者のシールド板金等との接触の問題を解決することはできない。
【００１０】
本発明は上記事情の下になされたもので、その解決しようとする課題（目的）は、端子部が形成されたフレキシブルフラットケーブルの両端部をコネクタに上方から挿入すると、フレキシブルフラットケーブルの両端部を除いた中間部分が下方に凹曲するように構成したフレキシブルフラットケーブルと、このフレキシブルフラットケーブルを用いた液晶テレビなどの影像表示装置を提供することにある。
そして、望ましい実施形態においては、コネクタに対する両端部の挿抜作業がし易く、しかも、指先の油脂分が端子部に付着しにくいフレキシブルフラットケーブルと、これを用いた影像表示装置を提供することも目的としている。
【課題を解決するための手段】
【００１１】
上記課題を解決するため、本発明に係るフレキシブルフラットケーブルは、並列する複数の線状導体が電気絶縁性の上下の樹脂フィルムで被覆され、一方の樹脂フィルムの両端切欠き部に線状導体の両端部が露出して端子部が形成されたフレキシブルフラットケーブルであって、その長さ方向の両端部が上記端子部よりも中央側の折り曲げ位置で一方の樹脂フィルム側に鋭角に折り曲げられ、これらの折り曲げ端部の他方の樹脂フィルム上に補強板がそれぞれ固着されていることを特徴とするものである。
【００１２】
本発明に係るフレキシブルフラットケーブルにおいては、上記補強板が折り曲げ端部の長さよりも長い補強板であって、この長い補強板の一端側部分が折り曲げ端部の他方の樹脂フィルム上に重ね合わされて固着され、補強板の他端側部分が折り曲げ端部から上記折り曲げ位置を越えて突き出していることが望ましい。
【００１３】
そして、本発明に係る影像表示装置は、複数のプリント配線基板が隣接して装置内部に設けられ、これらのプリント配線基板の相対向する位置に設置されたコネクタに、本発明のフレキシブルフラットケーブルの補強板を固着した折り曲げ端部がプリント配線基板と直交方向に挿入されて、プリント配線基板同士が電気的に接続されており、フレキシブルフラットケーブルの折り曲げ端部を除いた中間部分がプリント配線基板側に凹曲していることを特徴とするものである。
【発明の効果】
【００１４】
本発明に係るフレキシブルフラットケーブルのように、その長さ方向の両端部が端子部よりも中央側の折り曲げ位置で一方の樹脂フィルム側に鋭角に折り曲げられ、これらの折り曲げ端部の他方の樹脂フィルム上に補強板がそれぞれ固着されていると、補強板が固着されたこれらの折り曲げ端部を縦向きにして双方のコネクタに上方から挿入したときに、フレキシブルフラットケーブルの折り曲げ端部を除いた中間部分に下向きの応力がかかって、中間部分が下方に凹曲する。従って、フレキシブルフラットケーブルの上方にシールド板金などが配置されても、フレキシブルフラットケーブルがシールド板金などに接触して電磁妨害（ＥＭＩ）や電磁感受性（ＥＭＳ）に悪影響を与える心配がなくなるので、シールド板金などを配置する高さを従来よりもかなり低く設定することが可能となり、それによって液晶テレビなどの影像表示装置の更なる薄型化を図ることが可能となる。
【００１５】
また、補強板がフレキシブルフラットケーブルの折り曲げ端部の長さよりも長い補強板であって、この長い補強板の一端側部分が折り曲げ端部に重ね合わされて固着され、補強板の他端側部分が折り曲げ端部から折り曲げ位置を越えて突き出す構成とされたフレキシブルフラットケーブルは、この突き出した補強板の他端側部分を指先で掴んで折り曲げ端部をコネクタに挿入したり抜き取ったりすることができるので、コネクタに対する折り曲げ端部の挿抜作業がしやすくなり、しかも、指先の油脂分が折り曲げ端部の露出した端子部に付着しにくいので、端子部が油脂分で酸化されて劣化することも抑制される。
【００１６】
また、本発明に係る影像表示装置は、装置内部に互いに隣接して設けられたプリント配線基板同士が本発明のフレキシブルフラットケーブルで接続され、フレキシブルフラットケーブルの折り曲げ端部を除いた中間部分がプリント配線基板側に凹曲しているため、双方のプリント配線基板に跨がってシールド板金などを取付けても、フレキシブルフラットケーブルがシールド板金などに接触する恐れが殆どなくなり、従来よりもシールド板金などの取付け高さを大幅に低く設定できるので、影像表示装置の更なる薄型化を図ることが可能となる。
【図面の簡単な説明】
【００１７】
【図１】本発明の一実施形態に係るフレキシブルフラットケーブルの平面図である。
【図２】同フレキシブルフラットケーブルの底面図である。
【図３】同フレキシブルフラットケーブルのＡ−Ａ線断面図である。
【図４】両端部を折り曲げる前の同フレキシブルフラットケーブルの縦断面図である。
【図５】両端部を折り曲げる前の同フレキシブルフラットケーブルの底面図である。
【図６】同フレキシブルフラットケーブルの一使用状態の説明図である。
【図７】同フレキシブルフラットケーブルを用いた影像表示装置（液晶テレビ）の概略説明図である。
【図８】従来のフレキシブルフラットケーブルの縦断面図である。
【図９】従来のフレキシブルフラットケーブルの使用状態の説明図である。
【発明を実施するための形態】
【００１８】
以下、図面を参照して本発明の具体的な実施形態を詳細に説明する。
【００１９】
図１、図２、図３は本発明の一実施形態に係るフレキシブルフラットケーブルの平面図、底面図、Ａ−Ａ線断面図であり、図４、図５は両端部を折り曲げる前の同フレキシブルフラットケーブルの縦断面図、底面図である。図示のように、このフレキシブルフラットケーブル１は、並列する複数の線状導体１ａが電気絶縁性の上下の樹脂フィルム１ｂ，１ｃで被覆されたものであって、一方（下側）の樹脂フィルム１ｃの両端部は切欠かれており、この両端切欠き部に各線状導体１ａの両端部が露出して、端子部１ｄ，１ｄが形成されている。
【００２０】
線状導体１ａは錫メッキした軟質の銅箔からなるものであって、極細線状に形成されており、所定のピッチで並列に設けられている。また、線状導体１ａを被覆する上下の樹脂フィルム１ｂ，１ｃとしては、所定の厚さを有するポリエステルフィルムやポリオレフィン系フィルムなどが使用され、これらの樹脂フィルム１ｂ，１ｃは線状導体１ａを挟んで熱圧着により一体化されている。
【００２１】
このフレキシブルフラットケーブル１は、その長さ方向の両端部１ｅ，１ｅが端子部１ｄ，１ｄよりも中央側の折り曲げ位置Ｐ，Ｐで一方（下側）の樹脂フィルム１ｃ側に鋭角に折り曲げられており、これらの折り曲げ端部１ｅ，１ｅの他方（上側）の樹脂フィルム１ｂ上には、補強板２，２が接着剤１ｆ，１ｆで固着されている。
【００２２】
上記補強板２，２は、フレキシブルフラットケーブル１の端子部１ｄ，１ｄが形成された折り曲げ端部１ｅ，１ｅをコネクタに挿入する際に、折り曲げ端部１ｅ，１ｅが座屈しないように補強する役目と、指先で掴んで挿入作業を容易に行う掴み片の役目を兼ね備えたものであって、図３に示すように折り曲げ端部１ｅ，１ｅの長さよりも長い補強板２，２が使用されている。そして、この長い補強板２，２の一端側部分２ａ，２ａは、折り曲げ端部１ｅ，１ｅの樹脂フィルム１ｂ，１ｂ上に重ね合わされて接着剤１ｆ，１ｆで固着されて折り曲げ端部１ｅ，１ｅを補強しており、補強板２，２の他端側部分２ｂ，２ｂは、折り曲げ端部１ｅ，１ｅから折り曲げ位置Ｐ，Ｐを越えて突き出して掴み片となっている。補強板２としては、厚さが０．２〜０．３ｍｍ程度の強度のあるポリエステルテープなどが適しており、折り曲げ端部１ｅの長さよりも２〜５ｍｍほど長くて指先で掴み易いものが好ましく使用される。
【００２３】
上記のフレキシブルフラットケーブル１は、図４に示すように、長さ方向の両端部１ｅ，１ｅを端子部１ｄ，１ｄよりも中央側の折り曲げ位置Ｐ，Ｐで曲げ加工する前の平らな状態で、両端部１ｅ，１ｅよりも長い補強板２，２の一端側部分（外端側部分）２ａ，２ａを両端部１ｅ，１ｅの上側の樹脂フィルム１ｂに接着剤１ｆ，１ｆで固着し、補強板２，２の他端側部分（内端側部分）を固着しないで浮かせたまま、図３に示すように両端部１ｅ，１ｅを折り曲げ位置Ｐ，Ｐで下側の樹脂フィルム１ｃ側に鋭角に折り曲げ加工することによって作製される。
【００２４】
折り曲げ端部（両端部）１ｅ，１ｅの折り曲げ角度は、鋭角であれば特に限定されないが、折り曲げ角度が大きくなって直角に近づくほど、折り曲げ端部１ｅ，１ｅを縦向きにして双方のコネクタに上方から挿入したときにフレキシブルフラットケーブル１の中間部を下方に凹曲させようとする応力が小さくなるので、折り曲げ角度は６０°以下、好ましくは４５°以下、更に好ましくは３０°以下に設定するのがよい。
【００２５】
以上のような構成のフレキシブルフラットケーブル１を用いて双方のプリント配線基板を電気的に接続する場合は、掴み片となる補強板２，２の突き出した他端側部分２ｂ，２ｂを指先で掴んで、端子部１ｄ，１ｄが露出した折り曲げ端部１ｅ，１ｅを縦向きの姿勢にし、図６に示すように隣接する双方のプリント配線基板３，３のコネクタ４，４に折り曲げ端部１ｅ，１ｅを上方から挿入する。このようにフレキシブルフラットケーブル１の折り曲げ端部２，２をコネクタ４，４に上方から挿入すると、折り曲げ端部２，２は鋭角に折り曲げられているため、フレキシブルフラットケーブル１の折り曲げ端部１ｅ，１ｅを除いた中間部分に下向きの応力がかかり、図６に示すようにフレキシブルフラットケーブル１の中間部分が下方に凹曲することになる。従って、フレキシブルフラットケーブル１の上方にシールド板金５などが配置されても、フレキシブルフラットケーブル１がシールド板金５などに接触して電磁妨害（ＥＭＩ）や電磁感受性（ＥＭＳ）に悪影響を与える心配がなくなるので、シールド板金５などを配置する高さを従来よりもかなり低く設定することが可能となる。
【００２６】
また、上記のように突き出した補強板２，２の他端側部分２ｂ，２ｂを指先で掴んで折り曲げ端部１ｅ，１ｅをコネクタ４，４に挿入すると、折り曲げ端部１ｅ，１ｅの挿入作業がしやすくなり、しかも、指先の油脂分が折り曲げ端部１ｅ，１ｅの露出した端子部１ｄ，１ｄに付着しにくいので、端子部１ｄ，１ｄが油脂分で酸化されて劣化することも抑制される。
【００２７】
図７は前記のフレキシブルフラットケーブル１を用いてプリント配線基板同士を電気的に接続した本発明の影像表示装置の概略説明図であって、薄型の液晶テレビを例示したものである。
【００２８】
即ち、この液晶テレビは、影像を表示する液晶モジュール１０をキャビネット１１の前面開口部に臨ませてキャビネット１１の内部に組み込み、液晶モジュール１０のリアフレーム背面の凸部にメインのプリント配線基板３とサブのプリント配線基板３を隣接させて取付けている。そして、図６，図７に示すように、双方のプリント配線基板３，３の相対向する位置に設置されたコネクタ４，４に、前記フレキシブルフラットケーブル１の補強板２，２を固着した折り曲げ端部１ｅ，１ｅをプリント配線基板３，３と直交方向に挿入してプリント配線基板３，３同士を電気的に接続し、フレキシブルフラットケーブル１の折り曲げ端部を除いた中間部分をプリント配線基板３，３側に凹曲させると共に、双方のプリント配線基板３，３に跨がってフレキシブルフラットケーブル１を覆う電磁波シールド板金５を取付けている。なお、液晶モジュール１０は、リアフレーム内にバックライトユニットを設けて、その前面側に液晶パネルを配置したものである。
【００２９】
上記のように、この液晶テレビは、フレキシブルフラットケーブル１の折り曲げ端部１ｅ，１ｅを除いた中間部分がプリント配線基板３，３側に凹曲し、双方のプリント配線基板３，３に跨がって取付けられたシールド板金５がフレキシブルフラットケーブル１に接触しないため、電磁妨害（ＥＭＩ）や電磁感受性（ＥＭＳ）に悪影響を与える心配がなく、従来よりもシールド板金５の取付け高さを低く設定できるので、液晶テレビの更なる薄型化を図ることが可能となる。
【符号の説明】
【００３０】
１    フレキシブルフラットケーブル
１ａ  線状導体
１ｂ  他方の樹脂フィルム
１ｃ  一方の樹脂フィルム
１ｄ  端子部
１ｅ  折り曲げ端部（両端部）
２    補強板
２ａ  補強板の一端側部分
２ｂ  補強板の他端側部分
３    プリント配線基板
４    コネクタ
５    シールド板金
Ｐ    折り曲げ位置
【図１】
2012190722.tif 000003
【図２】
2012190722.tif 000004
【図３】
2012190722.tif 000005
【図４】
2012190722.tif 000006
【図５】
2012190722.tif 000007
【図６】
2012190722.tif 000008
【図７】
2012190722.tif 000009
【図８】
2012190722.tif 000010
【図９】
2012190722.tif 000011